(57)【要約】【課題】  施設１０における電力料金および水道料金を抑える。【解決手段】  外部から受電する施設１０内に設けられた浄化水装置３１の駆動制御方法。施設１０の受電電力量に基づいて所定時間内の使用電力の積算量を予測する。この予測が予め設定された使用電力量の上限（電力デマンド）を越えない範囲内で、浄化水水槽３３の水槽水位が目標水位を確保するように浄化水装置３１を駆動制御する。一方、水槽水位が下限水位を下回った場合には、外部から上水を受け入れる上水受入弁４２を開制御して、施設１０が必要な水量は確実に確保する。【選択図】  図１
2005052792.tif 000002
【特許請求の範囲】
【請求項１】
外部から受電する施設内に設けられ、電力を使用して原水を浄化処理する浄化水装置を運転制御する運転制御装置であって、
前記施設が受電している受電電力量を検出する受電電力量検出手段と、
検出した前記受電電力量に基づいて所定時間内の使用電力の積算量を予測する使用電力積算量予測手段と、
前記浄化水装置が浄化した浄化水および外部から受け入れた上水を貯留する浄化水水槽の水槽水位を検出する水槽水位検出手段と、
予測した前記使用電力の積算量が予め設定された使用電力量の上限を越えない範囲内で、前記水槽水位が予め設定された目標水位を確保するように前記浄化水装置を駆動制御する浄化水装置制御手段と、
前記水槽水位が予め設定された下限水位を下回った場合には、外部から上水を受け入れる上水受入弁を開制御する上水受入弁制御手段と、
を備えたことを特徴とする浄化水装置の運転制御装置。
【請求項２】
前記目標水位は、時間帯によって変化する目標水位パターンであることを特徴とする請求項１に記載の浄化水装置の運転制御装置。
【請求項３】
前記目標水位パターンは、予め設定された複数のパターンから各日の特性に応じたパターンが採用されることを特徴とする請求項２に記載の浄化水装置の運転制御装置。
【請求項４】
前記上水受入弁制御手段は、前記水槽水位が予め設定された下限水位を下回った場合に加え、外部から受け入れる上水について所定期間内の最低受入量を満たすように予め設定された上水受入パターンに応じて前記上水受入弁を開制御することを特徴とする請求項１〜３のいずれかに記載の浄化水装置の運転制御装置。
【請求項５】
上水の受入量を検出する上水受入量検出手段を備え、
前記上水受入弁制御手段は、前記所定期間の始期からの前記上水受入量の積算量が前記所定期間内の最低受入量を満たせば、当該所定期間中は、前記上水受入パターンに応じた前記上水受入弁の開制御を停止することを特徴とする請求項４に記載の浄化水装置の運転制御装置。
【請求項６】
外部から受電する施設内に設けられ、電力を使用して原水を浄化処理する浄化水装置の運転制御装置による運転制御方法であって、
前記施設が受電している受電電力量を検出し、
検出した前記受電電力量に基づいて所定時間内の使用電力の積算量を予測し、
前記浄化水装置が浄化した浄化水および外部から受け入れた上水を貯留する浄化水水槽の水槽水位を検出し、
予測した前記使用電力の積算量が予め設定された使用電力量の上限を越えない範囲内で、前記水槽水位が予め設定された目標水位を確保するように前記浄化水装置を駆動制御し、
前記水槽水位が予め設定された下限水位を下回った場合には、外部から上水を受け入れる上水受入弁を開制御する
ことを特徴とする浄化水装置の運転制御方法。
【請求項７】
外部から受電する施設内に設けられた浄化水供給装置であって、
電力を使用して原水を浄化処理する浄化水装置と、
前記施設が受電している受電電力量を検出する受電電力量検出手段と、
検出した前記受電電力量に基づいて所定時間内の使用電力の積算量を予測する使用電力積算量予測手段と、
前記浄化水装置が浄化した浄化水を貯留する浄化水水槽と、
外部から前記浄化水水槽に上水を受け入れる上水受入経路と、
前記上水受入経路を開閉する上水受入弁と、
前記浄化水水槽に貯留された水を配水する配水経路と、
前記浄化水水槽の水槽水位を検出する水槽水位検出手段と、
予測した前記使用電力の積算量が予め設定された使用電力量の上限を越えない範囲内で、前記水槽水位が予め設定された目標水位を確保するように前記浄化水装置を駆動制御する浄化水装置制御手段と、
前記水槽水位が予め設定された下限水位を下回った場合には、前記上水受入弁を開制御する上水受入弁制御手段と、
を備えたことを特徴とする浄化水供給装置。
【発明の詳細な説明】
【技術分野】
【０００１】
本発明は、生活排水や井戸水等を浄化する浄化水装置等に関する。
【背景技術】
【０００２】
従来、多くの水を使用する工場やホテル、学校等の施設では、外部から買い入れる水道水等の上水（市水）を抑えるため、生活排水や井戸水等の原水を再利用可能な浄化水に浄化する浄化水装置が利用される場合がある。
【０００３】
このような浄化水装置は、動力源として一般に電力を使用する。たとえば逆浸透膜（ＲＯ膜）を利用した浄化水装置は、原水を逆浸透膜に送り込むために電力駆動のポンプ等を備えている。
【発明の開示】
【発明が解決しようとする課題】
【０００４】
しかしながら、各種の施設で浄化水装置を備えると、浄化水装置が使用する電力のために電力使用量のピークが高くなってしまい、たとえば電力使用量のピークに応じて設定されることの多い電力単価が上がり、その結果、浄化水装置による水道費用の削減効果が相殺され、電力料金が高くついてしまう場合があった。
【０００５】
本発明は、電力料金の増加を抑えながら、水道費用も抑えることできる浄化水装置、ならびにその運転制御装置および同方法を提供することを目的とする。
【課題を解決するための手段】
【０００６】
本発明は、以下の手段を提供する。
【０００７】
（１）外部から受電する施設内に設けられ、電力を使用して原水を浄化処理する浄化水装置を運転制御する運転制御装置であって、前記施設が受電している受電電力量を検出する受電電力量検出手段と、検出した前記受電電力量に基づいて所定時間内の使用電力の積算量を予測する使用電力積算量予測手段と、前記浄化水装置が浄化した浄化水および外部から受け入れた上水を貯留する浄化水水槽の水槽水位を検出する水槽水位検出手段と、予測した前記使用電力の積算量が予め設定された使用電力量の上限を越えない範囲内で、前記水槽水位が予め設定された目標水位を確保するように前記浄化水装置を駆動制御する浄化水装置制御手段と、前記水槽水位が予め設定された下限水位を下回った場合には、外部から上水を受け入れる上水受入弁を開制御する上水受入弁制御手段と、を備えたことを特徴とする浄化水装置の運転制御装置。
【０００８】
（２）前記目標水位は、時間帯によって変化する目標水位パターンであることを特徴とする前項１に記載の浄化水装置の運転制御装置。
【０００９】
（３）前記目標水位パターンは、予め設定された複数のパターンから各日の特性に応じたパターンが採用されることを特徴とする前項２に記載の浄化水装置の運転制御装置。
【００１０】
（４）前記上水受入弁制御手段は、前記水槽水位が予め設定された下限水位を下回った場合に加え、外部から受け入れる上水について所定期間内の最低受入量を満たすように予め設定された上水受入パターンに応じて前記上水受入弁を開制御することを特徴とする前項１〜３のいずれかに記載の浄化水装置の運転制御装置。
【００１１】
（５）上水の受入量を検出する上水受入量検出手段を備え、前記上水受入弁制御手段は、前記所定期間の始期からの前記上水受入量の積算量が前記所定期間内の最低受入量を満たせば、当該所定期間中は、前記上水受入パターンに応じた前記上水受入弁の開制御を停止することを特徴とする前項４に記載の浄化水装置の運転制御装置。
【００１２】
（６）外部から受電する施設内に設けられ、電力を使用して原水を浄化処理する浄化水装置の運転制御装置による運転制御方法であって、前記施設が受電している受電電力量を検出し、検出した前記受電電力量に基づいて所定時間内の使用電力の積算量を予測し、前記浄化水装置が浄化した浄化水および外部から受け入れた上水を貯留する浄化水水槽の水槽水位を検出し、予測した前記使用電力の積算量が予め設定された使用電力量の上限を越えない範囲内で、前記水槽水位が予め設定された目標水位を確保するように前記浄化水装置を駆動制御し、前記水槽水位が予め設定された下限水位を下回った場合には、外部から上水を受け入れる上水受入弁を開制御することを特徴とする浄化水装置の運転制御方法。
【００１３】
（７）外部から受電する施設内に設けられた浄化水供給装置であって、電力を使用して原水を浄化処理する浄化水装置と、前記施設が受電している受電電力量を検出する受電電力量検出手段と、検出した前記受電電力量に基づいて所定時間内の使用電力の積算量を予測する使用電力積算量予測手段と、前記浄化水装置が浄化した浄化水を貯留する浄化水水槽と、外部から前記浄化水水槽に上水を受け入れる上水受入経路と、前記上水受入経路を開閉する上水受入弁と、前記浄化水水槽に貯留された水を配水する配水経路と、前記浄化水水槽の水槽水位を検出する水槽水位検出手段と、予測した前記使用電力の積算量が予め設定された使用電力量の上限を越えない範囲内で、前記水槽水位が予め設定された目標水位を確保するように前記浄化水装置を駆動制御する浄化水装置制御手段と、前記水槽水位が予め設定された下限水位を下回った場合には、前記上水受入弁を開制御する上水受入弁制御手段と、を備えたことを特徴とする浄化水供給装置。
【発明の効果】
【００１４】
前項１，６および７にかかる浄化水装置の運転制御装置、同方法および浄化水供給装置によれば、浄化水装置によって浄化水を得ることにより水道費用を抑えられる。また、この浄化水装置を、施設全体の使用電力量が予め設定された上限を越えない範囲内で運転制御するため、電力料金の増加を抑えることができる。さらに、こうして浄化水制御装置の運転を制限しながらも、浄化水水槽の水槽水位が下限水位を下回った場合には上水を受け入れるため、必要な水量を確実に確保することができる。
【００１５】
前項２にかかる浄化水装置の運転制御装置によれば、時間帯によって変動する電力使用パターン等に応じた目標水位パターンを予め適用することにより、浄化水装置が発動と停止を繰り返す事態等を未然に防止して、効率的に浄化水装置を運転制御することができる。、
前項３にかかる浄化水装置の運転制御装置によれば、曜日等の各日の特性に応じた適切な目標水位を設定して、効率的に浄化水装置を運転制御することができる。
【００１６】
前項４にかかる浄化水装置の運転制御装置によれば、確実に上水の最低受入量を満足することができる。
【００１７】
前項５にかかる浄化水装置の運転制御装置によれば、確実に上水の最低受入量を満足しながら、上水の受入量を抑えることができる。
【発明を実施するための最良の形態】
【００１８】
以下、本発明にかかる浄化水供給装置について説明する。
【００１９】
図１は、本発明にかかる浄化水供給装置を模式的に示す全体構成図である。
【００２０】
図１に示すように、浄化水供給装置１１は、外部から電力を受電する施設１０内に設けられている。施設１０が外部から受電する受電経路２０は、施設１０内の配電経路２２を経て、浄化水供給装置１１や、他の電気機器１９…に電力を供給するようになっている。
【００２１】
このように施設１０が外部から受電する受電電力の料金は、電力会社等との契約によるが、一般には、契約期間内に発生する一時的な消費電力の最大値（電力ピーク）と、契約期間中の消費電力の合計とに基づいて算出される。一時的な消費電力の最大値（電力ピーク）とは、契約期間（たとえば１年間）のうちで、所定時間（たとえば３０分間）内に使用した電力の積算量の最大値（いわゆる電力デマンド）である。このため、一般に電力ピーク（電力デマンド）を低く抑えることにより電力料金が低減する場合が多い。
【００２２】
この施設１０は、外部から、上水（市水）の供給を受ける上水受入経路４０を有している。
【００２３】
このような上水の受け入れに関しては、衛生上の観点から、所定の最低受入量以上の上水を受け入れるように各自治体等から指導されている場合がある。具体的には、上水を受け入れるタンク内の水が新鮮に保たれるように、所定期間（たとえば１日間）にタンク内の水が２回以上入れ替わることが求められ、この結果、１日あたりの最低受入量がタンク容量の２倍とされている場合等がある。
【００２４】
こうして受け入れられる上水と、浄化水供給装置１１によって浄化された浄化水は、浄化水供給装置１１の配水経路３５を経て、施設１０内の各装置に分配されるようになっている。
【００２５】
浄化水供給装置１１は、原水を再利用可能な浄化水に浄化する浄化水装置３１を備えている。原水は、井戸や排水経路等の原水源３０から得られるようになっており、原水槽３２に一時的に貯留されてから、浄化水装置３１に送られる。
【００２６】
この浄化水装置３１は、たとえば、逆浸透膜を利用した浄化水装置として構成され、原水を受け入れて逆浸透膜に原水を送り込むためのポンプ等を備えている。このため、この浄化水装置３１は、駆動するための駆動電力を要する。この駆動電力は、施設１０が外部から受電した電力の一部が配電経路２２および専用電力供給経路２３を経て、浄化水装置３１に送られるようになっている。
【００２７】
この浄化水装置３１によって浄化された浄化水は、外部から上水受入経路４０を経て受け入れられた上水（市水）とともに、浄化水水槽３３に貯留されるようになっている。
【００２８】
浄化水水槽３３には、その水槽水位を検出する水槽水位計（水槽水位検出手段）３４が設けられている。この水槽水位計３４によって検出される水槽水位情報は、後述するように、浄化水装置３１の運転制御に用いられる。
【００２９】
施設１０が外部から受電する受電経路２０には、施設１０が受電している受電電力量を監視する受電電力量計（受電電力量検出手段）２１が設けられている。この受電電力計２１によって検出される受電電力量情報は、後述するように、浄化水装置３１の運転制御に用いられる。この受電電力計２１は、浄化水供給装置１１の一部をなしているとともに、浄化水装置３１の運転制御装置の一部として機能する。
【００３０】
施設１０が外部から上水の供給を受ける上水受け入れ経路４０には、上水受入経路４０を開閉する上水受入弁４２と、施設１０が受け入れた上水受入量を検出する上水受入量計（上水受入量検出手段）４１とが設けられている。これら上水受入弁４２および上水受入量計４１は、浄化水供給装置１１の一部をなしているとともに、上水受入量計４１は、浄化水装置３１の運転制御装置の一部として機能する。
【００３１】
このような構成の浄化水供給装置１１は、浄化水装置３１および上水受入弁４２を運転制御する運転制御装置本体５０を備えている。この運転制御装置本体５０は、たとえば、ＣＰＵ、ＲＡＭおよびＲＯＭ等の記憶回路、ハードディスクドライブ等の記憶装置、キーボードやディスプレイ装置等の入出力装置等を備えたコンピュータから構成されている。この運転制御装置本体５０は、機能的に、使用電力積算量予測手段５１と、浄化水装置制御手段５２と、上水受入弁制御手段５３とを備えている。
【００３２】
使用電力積算量予測手段５１は、受電電力計２１によって検出された受電電力量情報に基づいて、この施設１０全体における所定時間内の使用電力の積算量を予測するものである。所定時間内の使用電力の積算量とは、上述した電力料金の算出における電力ピーク（電力デマンド）と同様に、たとえば３０分間の使用電力積算量である。
【００３３】
図２は、この使用電力積算量の予測手法の一例を示した説明図である。この例では、使用電力積算量予測手段５１は、所定時間の始期（たとえば毎時０分と毎時３０分）から現在まで連続的あるいは所定のサンプリング時間毎に検出された受電電力量を積算することにより、現在までの使用電力積算量を記憶している。また、現在の使用電力量と直前の使用電力量の変化率に基いて現在から所定時間の終期までの使用電力量の変化を予測し、これにより現在から終期までの使用電力積算量を予測する。そして、記憶している現在までの使用電力積算量と、予測した終期までの使用電力積算量を合計することによって、当該所定時間の使用電力積算量を予測する。
【００３４】
浄化水装置制御手段５２は、施設１０の使用電力量がその上限（電力デマンド）を越えない範囲内で、浄化水水槽３３の水槽水位が目標水位を確保するように、浄化水装置３１を駆動制御するものである。すなわち、この浄化水装置制御手段５２は、施設１０の使用電力量が電力デマンドを越えると予測される場合には、たとえ水槽水位が目標水位を確保できなくても、浄化水装置３１の駆動を停止させ、あるいは出力を低下させる。このような制御ができるのは、後述するように上水によるバックアップによって施設１０における必要水量を確保できるからである。
【００３５】
この浄化水装置制御手段５２は、使用電力積算量予測手段５１によって予測された当該所定時間における使用電力積算量と、予め設定された使用電力量の上限（電力デマンド）とを比較することにより、当該所定時間において使用電力量がその上限を越えるか否かを判断する。
【００３６】
なお、使用電力量の上限（電力デマンド）は、施設の運営管理者等によって予め設定され、浄化水装置制御手段５２に与えられている。この使用電力量の上限は、たとえば浄化水装置３１以外の電気機器による使用電力量の最大値等に基づき、施設の運営管理者等が目標値として設定したり、電力会社等との契約で定めた値をそのまま設定したりするなどすればよい。
【００３７】
また、この浄化水装置制御手段５２は、水槽水位計３４によって検出された浄化水水槽３３の水槽水位と、予め設定された浄化水水槽３３の目標水位とを比較することにより、浄化水装置３１を駆動して新たに浄化水を製造すべきか否かを判断する。
【００３８】
この目標水位は、時間帯によって変化する目標水位パターンとして設定されている。この目標水位パターンは、当該施設１０の使用電力および使用水量の時間帯による変動パターンの実績調査等に基づいて、施設の運営管理者等によって予め設定され、浄化水装置制御手段５２に与えられる。さらに、この目標水位パターンは、曜日や祝祭日、季節、特別行事のある日等、各日の特性に応じて複数種類設定されている。
【００３９】
図３は、ある宿泊施設における使用電力と使用水量の変動パターンの例である。この宿泊施設では、使用電力量は昼と夜が多く、深夜から早朝は少ない。一方、使用水量も、昼と夜に多く、深夜から早朝は少ないという傾向が見いだせる。この施設において、使用水量に応じて浄化水装置３１を駆動すれば、その駆動電力によって昼と夜の使用電力量のピークを押し上げてしまうことが予想される。なお、このような使用電力や使用水量は、特性の近似する日のデータを平均するなどにより、各日の特性毎のパターンが得られる。
【００４０】
図４は、各日の特性に応じた目標水位パターンの例であり、図４（ａ）は前記宿泊施設の平日用、図４（ｂ）は同じく休前日用、図４（ｃ）は同じく休日用である。
【００４１】
たとえば図４（ａ）の平日用の目標水位パターンによると、使用電力の多い昼頃まで高い目標水位を設定して十分な浄化水を準備しておき、使用電力が増加する昼頃は目標水位を下げて浄化水装置３１の駆動を控えさせることにより、使用電力量のピークの押し上げが未然に防止されるようになっている。また、一旦、使用電力が減少する午後に再び高い目標水位を設定して十分な浄化水を準備しておき、使用電力が増加する夜は再び目標水位を下げて浄化水装置３１の駆動を控えさせるようになっている。
【００４２】
このような時間帯によって変動する目標水位パターンを用いれば、使用電力量の上限（電力デマンド）が近いために浄化水装置３１が発動と停止を繰り返す事態等を未然に防止して、効率的な運転制御を行うことが可能となる。さらに、各日の特性に応じて目標水位パターンを変更すれば、さらに効率的な運転制御を実現することができる。
【００４３】
以下、この浄化水装置制御手段５２による浄化水装置３１の駆動制御手順について、図５のフローチャートを参照しながら説明する。
【００４４】
この浄化水装置制御手段５２は、適宜定めた各日の始期（たとえば午前３時）において、その日の特性に応じた目標水位パターンを採用し、設定する（ステップＳ１２）。
【００４５】
そして、浄化水装置制御手段５２は、水槽水位計３４によって検出される現在の水槽水位がこの目標水位パターンによる目標水位に達しているかを判断し（ステップＳ１４）、達しているなら（ステップＳ１４でＹＥＳ）、浄化水装置３１の駆動を停止させる停止制御命令を発する（ステップＳ１６）。
【００４６】
一方、水槽水位が目標水位に達していないなら（ステップＳ１４でＮＯ）、さらに、使用電力積算量予測手段５１が予測した使用電力積算量が、予め設定された使用電力量の上限（電力デマンド）を越えるか否かを確認して（ステップＳ１８）、上限を越えない場合にのみ（ステップＳ１８でＮＯ）、浄化水装置３１を駆動させる駆動制御命令を発する（ステップＳ２０）。上限を越える場合には（ステップＳ１８でＹＥＳ）、浄化水装置３１を駆動させず、既に駆動している場合にはそれを停止させるべく、停止制御命令を発する（ステップＳ１６）。
【００４７】
以下、その日の終期（たとえば午前３時）までステップＳ１４以降が繰り返される。
【００４８】
上水受入弁制御手段５３は、浄化水水槽３３の水槽水位が所定の下限水位を下回った場合には上水受入経路４０から上水を受け入れて、前記下限水位以上の水槽水位を確保するように、上水受入弁４２を開閉制御するものである。すなわち、この上水受入弁制御手段５３による上水の受け入れは、電力デマンドによる制約のために浄化水装置３１によっては十分な水量が確保できない場合であっても、施設１０における必要水量を確保するバックアップとして機能する。
【００４９】
この上水受入弁制御手段５３は、水槽水位計３４によって検出された浄化水水槽３３の水槽水位と、予め設定された浄化水水槽３３の下限水位とを比較することにより、上水受入弁４２を開けて、上水受入によるバックアップを行うべきか否かを判断する。なお、下限水位は、施設の運営管理者等によって予め設定され、上水受入弁制御手段５３に与えられており、図４に示すように、目標水位パターンによる目標水位より下側に設定されている。
【００５０】
また、上水受入弁制御手段５３は、上水について衛生上の観点等から求められる所定の最低受入量以上の受入を確保するため、予め設定された上水受入パターンに応じた上水受入弁４２の開閉制御も行う。
【００５１】
この上水受入パターンは、浄化水装置３１のバックアップのための上水受け入れが発生しなかった場合でも、所定期間内（たとえば１日）の上水の最低受入量を確実に満足するように、施設の運営管理者等によって予め設定され、上水受入弁制御手段５３に与えられている。
【００５２】
具体的には、上述した浄化水装置制御手段５２の目標水位パターンと同様に、当該施設１０の使用電力および使用水量の時間帯による変動パターンの実績調査等、さらに、浄化水装置３１の駆動制御のための目標水位パターンに基づき、曜日や祝祭日、季節、特別行事のある日等、各日の特性に応じて複数種類設定されている。
【００５３】
図６は、各日の特性に応じた上水受入パターンの例であり、図６（ａ）は前記宿泊施設の平日用、図６（ｂ）は同じく休前日用、図６（ｃ）は同じく休日用である。
【００５４】
たとえば図６（ａ）の平日用の上水受入パターンによると、使用水量が多いが使用電力も多い昼頃や夜に上水を受け入れることにより、浄化水装置３１の駆動を控えさせ、使用電力量のピークの押し上げが未然に防止されるようになっている。
【００５５】
さらに、上水受入弁制御手段５３は、上水受入量計５３によって検出される上水の受入量を、上水の最低受入量が算出される所定期間の始期から積算し、この積算量が所定期間内の最低受入量を満たせば、当該所定期間中は、前記上水受入パターンに応じた上水受入弁４２の開閉制御を終了する。
【００５６】
すなわち、この上水受入弁制御手段５３は、浄化水装置３１のバックアップによる上水の受け入れにより、上水の最低受入量が確保されれば、それ以降は浄化水装置３１のバックアップのための上水受入のみを行うようになる。これにより上水の最低受入量を確保しながらも、上水受入量を抑えて水道料金を抑えることができる。
【００５７】
以下、この上水受入弁制御手段５３による上水受入弁４２の開閉制御手順について、図７のフローチャートを参照しながら説明する。
【００５８】
この上水受入弁制御手段５３は、適宜定めた各日の始期（たとえば午前３時）において、その日の特性に応じた上水受入パターンを採用し、設定する（ステップＳ３２）。この上水受入パターンを設定する始期は、上水の最低受入量が算出される所定期間（たとえば１日間）の始期と合わせられている。
【００５９】
上水受入パターンを設定した上水受入弁制御手段５３は、既に上水受入の積算量が当該所定期間における最低受入量を満たしているかを判断し（ステップＳ３４）、未だ満たしていない場合に限り（ステップＳ３４でＮＯ）、上水受入パターンに基づく上水受入時期であるかが判断される（ステップＳ３６）。上水受入時期であれば（ステップＳ３６でＹＥＳ）、上水受入弁４２に対して上水を受け入れる弁開指令が発せられる（ステップＳ４０。
【００６０】
一方、浄化水装置３１のバックアップを行ったことによって既に最低受入量を満たしている場合には（ステップＳ３４でＹＥＳ）、上水受入パターンに基づく上水受入は行わない（ステップＳ３６をスキップ）。
【００６１】
上水受入パターンに基づく上水受入時期ではなかった場合（ステップＳ３６でＮＯ）あるいは既に上水の最低受入量を満たしていた場合（ステップＳ３４でＹＥＳ）、浄化水装置３１のバックアップとしての上水受入の可否判断として、浄化水水槽３３の水槽水位が、下限水位を下回っているか否かが判断される（ステップＳ３８）。
【００６２】
この判断の結果、水槽水位が下限水位を下回っていれば（ステップＳ３８でＹＥＳ）、浄化水装置３１のバックアップとして、上水受入弁４２に対して上水を受け入れる弁開指令が発せられる（ステップＳ４０）一方、水槽水位が下限水位を下回っていない場合には（ステップＳ３８でＮＯ）、上水受入弁４２に対して上水受入を停止する弁閉指令が発せられる（ステップＳ４２）。
【００６３】
上水受入パターンに基づく上水受入、または浄化水装置３１のバックアップのために、弁開指令が発せられた場合には（ステップＳ４０）、上水受入量計４１によって上水の受入量が検出されるため、上水受入弁制御手段５３は、この上水受入量を積算しておく（ステップＳ４４）。
【００６４】
以上の一連の制御が当該所定期間の終期に至るまで繰り返され（ステップＳ４６でＮＯ）、所定期間の終期に至れば（ステップＳ４６でＹＥＳ）、次の所定期間の制御に移るため、上水を受け入れる度に積算してきた上水受入の積算量をリセットし（ステップＳ４８）、ステップＳ３２に戻る。
【００６５】
以上、本発明を一実施形態に基づいて説明したが、本発明は上記実施形態に限定されるものではなく、その要旨の範囲内で適宜変更することができる。具体的には、たとえば以下のように変更することができる。
【００６６】
（１）上記実施形態では、施設１０が使用する電力はすべて外部から受電する構成としたが、施設１０内にコージェネレーションシステムのような発電設備を備え、外部から受電する電力と併用するようにしてもよい。
【００６７】
（２）上記実施形態においては、浄化水装置制御手段５２は、浄化水装置３１の駆動と停止だけを制御するようにしたが、浄化水装置３１の運転出力を段階的あるいは連続的に変化させる制御を行うようにしてもよい。この場合、たとえば水槽水位の目標水位（満水）からの不足の程度に応じて、浄化水装置３１の運転出力を変化させることができる。
【００６８】
（３）上記実施形態においては、上水受入弁４２は、開状態と閉状態とを切り替えるだけの構成を例示したが、上水受入量を段階的あるいは連続的に設定できるように、流量制御弁や、並列設置された複数の開閉弁から構成し、上水受入弁制御手段５３は、上水受入弁４２による上水受入流量を調整制御するようにしてもよい。
【図面の簡単な説明】
【００６９】
【図１】本発明にかかる浄化水供給装置を模式的に示す全体構成図である。
【図２】この使用電力積算量の予測手法の一例を示した説明図である。
【図３】ある宿泊施設における使用電力と使用水量の変動パターンの例である。
【図４】目標水位パターンの例である。
【図５】浄化水装置の制御手順を示すフローチャートである。
【図６】上水受け入れパターンの例である。
【図７】上水受入弁の制御手順を示すフローチャートである。
【符号の説明】
【００７０】
１０  施設
１１  浄化水供給装置
２０  受電経路
２１  受電電力量計（受電電力量検出手段）
３０  原水源
３１  浄化水装置
３３  浄化水水槽
３４  水槽水位計（水槽水位検出手段）
４０  上水受入経路
４１  上水受入量計（上水受入量検出手段）
４２  上水受入弁
５０  運転制御装置本体
５１  使用電力積算量予測手段
５２  浄化水装置制御手段
５３  上水受入弁制御手段
【図１】
2005052792.tif 000003
【図２】
2005052792.tif 000004
【図３】
2005052792.tif 000005
【図４】
2005052792.tif 000006
【図５】
2005052792.tif 000007
【図６】
2005052792.tif 000008
【図７】
2005052792.tif 000009